(57)【要約】      （修正有）【課題】動的で目立つとともに、インパクトが大きく、癒し効果が得られ、消費電力も著しく低い装飾品を提供する。【解決手段】透明あるいは半透明板２の背面に凹部を形成して模様等を形成された装飾板４と、この装飾板４の背面および外周部を覆うケース体５と、このケース体５内に前記装飾板４の端部より内部へ光を供給できるように設けた少なくとも２色以上の発光ダイオード６Ａ，６Ｂと、この少なくとも２色以上の発光ダイオード６Ａ，６Ｂをそれぞれあらかじめ設定された時間で点灯、消灯させることができる発光ダイオード点灯回路１０とで装飾品１を構成している。【選択図】  図１
2004174799.tif 000002
【特許請求の範囲】
【請求項１】
透明あるいは半透明板の背面に凹部を形成して模様等を形成された装飾板と、この装飾板の背面および外周部を覆うケース体と、このケース体内に前記装飾板の端部より内部へ光を供給できるように設けた少なくとも２色以上の発光ダイオードと、この少なくとも２色以上の発光ダイオードをそれぞれあらかじめ設定された時間で点灯、消灯させることができる発光ダイオード点灯回路とからなることを特徴とする装飾品。
【請求項２】
透明あるいは半透明板の背面に凹部を形成して模様等を形成された四角形状の装飾板と、この装飾板の背面および外周部を覆うケース体と、このケース体内に前記装飾板の端部より内部へ光を供給できるように設けた少なくとも赤、青、緑の３色の発光ダイオードと、この赤、青、緑の３色の発光ダイオードをそれぞれあらかじめ設定された時間で点灯、消灯させることができる発光ダイオード点灯回路とからなることを特徴とする装飾品。
【請求項３】
透明あるいは半透明板の背面に凹部を形成して模様等を形成された少なくとも２枚以上重ね合わせた装飾板と、この少なくとも２枚以上重ね合わせた装飾板の背面および外周部を覆うケース体と、このケース体内に前記少なくとも２枚以上重ね合わせた装飾板の端部より内部へ光を供給できるように設けた少なくとも２色以上の発光ダイオードと、この少なくとも２色以上の発光ダイオードをそれぞれあらかじめ設定された時間で点灯、消灯させることができる発光ダイオード点灯回路とからなることを特徴とする装飾品。
【請求項４】
透明あるいは半透明板の背面に凹部を形成して模様等を形成された少なくとも２枚以上重ね合わせた装飾板と、この少なくとも２個以上重ね合わせた装飾板の背面および外周部を覆うケース体と、このケース体内に前記一方の装飾板の端部より内部へ光を供給できるように設けた少なくとも２色以上の一方発光ダイオードと、前記ケース体内に前記他方の装飾板の端部より内部へ光を供給できるように設けた少なくとも２色以上の他方の発光ダイオードと、この他方の発光ダイオードと前記一方発光ダイオードをそれぞれあらかじめ設定された時間で点灯、消灯させることができる発光ダイオード点灯回路とからなることを特徴とする装飾品。
【発明の詳細な説明】
【０００１】
【発明の属する技術分野】
本発明は癒し効果が得られる額装品、ディスプレイ装置、看板等として使用することができる装飾品に関する。
【０００２】
【従来の技術】
従来、透明あるいは半透明板に模様等をサンドブラストで形成した装飾板を額縁に収納する装飾品が考えられている。
【０００３】
【発明が解決しようとする課題】
従来の装飾品は透明あるいは半透明板にサンドブラストで模様を形成したものであるので、静的な装飾品となり、インパクトが小さく目立たないとともに、癒し効果が得られないという欠点があった。
【０００４】
本発明は以上のような従来の欠点に鑑み、動的で目立つとともに、インパクトが大きく、癒し効果が得られる、消費電力も著しく低い装飾品を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は透明あるいは半透明板の背面に凹部を形成して模様等を形成された装飾板と、この装飾板の背面および外周部を覆うケース体と、このケース体内に前記装飾板の端部より内部へ光を供給できるように設けた少なくとも２色以上の発光ダイオードと、この少なくとも２色以上の発光ダイオードをそれぞれあらかじめ設定された時間で点灯、消灯させることができる発光ダイオード点灯回路とで装飾品を構成している。
【０００７】
【発明の実施の形態】
以下、図面に示す実施の形態により、本発明を詳細に説明する。
【０００８】
図１ないし図７に示す本発明の第１の実施の形態において、１は額装品やショーウインド等のディスプレイとして使用することができる本発明の装飾品で、この装飾品１はアクリルやガラス材の四角形状の、透明あるいは半透明板２の背面に凹部を形成して絵、図形、文字等の模様等３を形成された装飾板４と、この装飾板４の背面および外周部を覆う額縁形状のケース体５と、このケース体５内に前記装飾板４の端部より内部へ光を入射供給できるように設けられた、少なくとも２色以上、本発明の実施の形態では赤、青、緑の３色の発光ダイオード６、６Ａ、６Ｂ、６、６Ａ、６Ｂと、この３色の発光ダイオード６、６Ａ、６Ｂ、６、６Ａ、６Ｂをそれぞれあらかじめ設定された時間で点灯、消灯させることができるように前記ケース体５に設けられた制御回路７、バッテリー８、ＯＮ・ＯＦＦスイッチ９を備える発光ダイオード点灯回路１０とで構成されている。
【０００９】
前記ケース体５は前記装飾板４を背面より収納することができる凹部１１が背面に形成された枠状のケース体本体１２と、このケース体本体１２の背面を覆う前記凹部１１内に収納される裏蓋１３と、この凹部１１内に収納された裏蓋１３を前記ケース体本体１２に係止する複数個の係止具１４と、前記裏蓋１３に取付けられた前記ケース体本体１２をテーブル上等に立設状態に支持する支持脚１５と、前記ケース体本体１２の一辺、本発明の実施の形態では下部辺の両端部を除く部位に形成された発光ダイオード収納凹部１６とで構成されている。
【００１０】
上記構成の装飾品１は発光ダイオード点灯回路１０によって、あらかじめ設定された時間、３色の発光ダイオード６、６Ａ、６Ｂ、６、６Ａ、６Ｂが点灯、消灯して、装飾板４に凹部を形成して形成された模様等３が順次色が変化していく動的な模様等３となる。
【００１１】
【発明の異なる実施の形態】
次に、図８ないし図１８に示す本発明の異なる実施の形態につき説明する。なお、これらの本発明の異なる実施の形態の説明に当って、前記本発明の第１の実施の形態と同一構成部分には同一符号を付して重複する説明を省略する。
【００１２】
図８ないし図１０に示す本発明の第２の実施の形態において、前記本発明の第１の実施の形態と主に異なる点は、ケース体５内の側面部位にも３色の発光ダイオード６、６Ａ、６Ｂを配置して、発光ダイオード点灯回路１０で点灯できるようにした点で、このように構成した装飾品１Ａにしても、前記本発明の第１の実施の形態と同様な作用効果が得られる。
【００１３】
図１１および図１２に示す本発明の第３の実施の形態において、前記本発明の第２の実施の形態と主に異なる点は、壁面１７に取付けることができるケース体５Ａを用いて、お店の看板として使用できるようにお店の名称１８とマーク等の絵１９とからなる模様等３Ａを形成した装飾板４Ａを用いた点で、このように構成した装飾品１Ｂにしても、前記本発明の第２の実施の形態と同様な作用効果が得られる。
【００１４】
図１３ないし図１５に示す本発明の第４の実施の形態において、前記本発明の第２の実施の形態と主に異なる点は複数枚、本発明の実施の形態では少なくとも２枚以上、本発明の実施の形態では２枚の装飾板４、４を重ねてケース体５内に収納した点で、このように構成した装飾品１Ｃは、前記本発明の第２の実施の形態と同様な作用効果が得られるとともに、立体的に模様等３、３を見えるようにすることができる。
【００１５】
図１６ないし図１８に示す本発明の第５の実施の形態において、前記本発明の第４の実施の形態と主に異なる点は、ケース体５の下部の発光ダイオード６、６Ａ、６Ｂの光は背面の装飾板４に入射されないように、背面の装飾板４の下部に不透明なテープ等の入射阻止部材２０を取付けるとともに、側面の発光ダイオード６、６Ａ、６Ｂの光は前面の装飾板４に入射されないように前面の装飾板４の側面に入射阻止部材２０を取付けた点で、このように構成した装飾品１Ｄにしても、前記本発明の第４の実施の形態と同様な作用効果が得られるとともに、より立体的に見えるようにできる。
【００１６】
なお、前記本発明の各実施の形態ではケース体５、５Ａ内に発光ダイオード点灯回路１０を設けたものについて説明したが、本発明はこれに限らず、バッテリー８やスイッチ９をケース体５、５Ａ外に設けてもよい。
また、前記本発明の各実施の形態では３色の発光ダイオード６、６Ａ、６Ｂを用いるものについて説明したが、本発明はこれに限らず、２色以上の発光ダイオードを用いて構成したものであっても、同様な作用効果が得られる。
【００１７】
【発明の効果】
以上の説明から明らかなように、本発明にあっては次に列挙する効果が得られる。
【００１８】
（１）透明あるいは半透明板の背面に凹部を形成して模様等を形成された装飾板と、この装飾板の背面および外周部を覆うケース体と、このケース体内に前記装飾板の端部より内部へ光を供給できるように設けた少なくとも２色以上の発光ダイオードと、この少なくとも２色以上の発光ダイオードをそれぞれあらかじめ設定された時間で点灯、消灯させることができる発光ダイオード点灯回路とで構成されているので、装飾板の凹部を形成して形成された模様等を少なくとも２色以上の発光ダイオードの点灯、消灯によって着色発光させることができる。
したがって、模様等が着色発光することにより、動的な模様となり、目立ち、大きなインパクトが得られる。
【００１９】
（２）前記（１）によって、２色以上の発光ダイオードの点灯、消灯がそれぞれあらかじめ設定された時間で行われるので、時間とともに模様等の着色を変化させることができる。
したがって、癒し効果が得られる。
【００２０】
（３）前記（１）によって、少なくとも２色以上の発光ダイオードを用いているので、発光ダイオードを点灯させるための電力が小さく、経済的に使用することができる。
【００２１】
（４）請求項２、３も前記（１）〜（３）と同様な効果が得られる。
【図面の簡単な説明】
【図１】本発明の第１の実施の形態の正面図。
【図２】本発明の第１の実施の形態の背面図。
【図３】図１の２−２線に沿う断面図。
【図４】装飾板の説明図。
【図５】裏蓋を外した状態の説明図。
【図６】図５の６−６線に沿う断面図。
【図７】本発明の第１の実施の形態の概略回路図。
【図８】本発明の第２の実施の形態の正面図。
【図９】裏蓋を外した状態の説明図。
【図１０】概略回路図。
【図１１】本発明の第３の実施の形態の正面図。
【図１２】図１１の１２−１２線に沿う断面図。
【図１３】本発明の第４の実施の形態の正面図。
【図１４】図１３の１４−１４線に沿う断面図。
【図１５】図１３の１５−１５線に沿う断面図。
【図１６】本発明の第５の実施の形態の正面図。
【図１７】図１６の１７−１７線に沿う断面図。
【図１８】装飾板の説明図。
【符号の説明】
１、１Ａ、１Ｂ、１Ｃ、１Ｄ：装飾品、
２：透明あるいは半透明の板、
３、３Ａ：模様等、      ４、４Ａ：装飾板、
５、５Ａ：ケース体、
６、６Ａ、６Ｂ：発光ダイオード、
７：制御回路、          ８：バッテリー、
９：スイッチ、
１０：発光ダイオード点灯回路、
１１：凹部、            １２：ケース体本体、
１３：裏蓋、            １４：係止具、
１５：支持脚、
１６：発光ダイオード収納凹部、
１７：壁面、            １８：お店の名称、
１９：マーク等の絵、    ２０：入射阻止部材。
【図１】
2004174799.tif 000003
【図２】
2004174799.tif 000004
【図３】
2004174799.tif 000005
【図４】
2004174799.tif 000006
【図５】
2004174799.tif 000007
【図６】
2004174799.tif 000008
【図７】
2004174799.tif 000009
【図８】
2004174799.tif 000010
【図９】
2004174799.tif 000011
【図１０】
2004174799.tif 000012
【図１１】
2004174799.tif 000013
【図１２】
2004174799.tif 000014
【図１３】
2004174799.tif 000015
【図１４】
2004174799.tif 000016
【図１５】
2004174799.tif 000017
【図１６】
2004174799.tif 000018
【図１７】
2004174799.tif 000019
【図１８】
2004174799.tif 000020